(57)【特許請求の範囲】
【請求項１】
廃棄物を収容する凹状の窪みを設けた廃棄物処分場において、処分場の底面に浸出水を収容する浸出水収容部が設けられ、浸出水収容部が凹状体と凹状体に被せられる蓋板とを備え、蓋板が通孔を備え、蓋板の上にフィルター層が設けられ、フィルター層及び通孔を経て浸出水収容部に収容された浸出水を処分場の外部に強制排水する排水手段が設けられたことを特徴とする廃棄物処分場。
【請求項２】
上記浸出水収容部の容積は、処分場の廃棄物収容部の容積の５〜１５％としたことを特徴とする請求項１に記載の廃棄物処分場。
【発明の詳細な説明】
【０００１】
【発明の属する技術分野】
この発明は、廃棄物処分場、特に浸出水を迅速に排水処理するための構造に関するものである。
【０００２】
【従来の技術】
従来、産業廃棄物，生活廃棄物を集積するための廃棄物処分場１は図１１及び図１２に示すように地上２を凹状に掘削，成形し、さらにコンクリート塀３を構築する等により形成している。
【０００３】
その底部４には通常、２重シートから成る遮水シート５がほぼ全面に敷設され、この遮水シート５の上には浸出水集排水路６が複数設けられ、この浸出水集排水路６には複数本の分岐浸出水集排水路７が接続される。この分岐浸出水集排水路７のうち、外側に位置する分岐浸出水集排水路７の先端からはこの分岐浸出水集排水路７に連通するとともに傾斜面８に沿うガス抜き路９が延長する。
また、遮水シート５の下面側には複数の地下水集排水路１０及びこの地下水排水路１０に接続された図外の分岐地下水集排水路が設けられる。
【０００４】
この廃棄物処分場１の側部には、小形の浸出水貯留部１１が設けられる。この浸出水貯留部１１には浸出水ガイド管１２を介して浸出水集排水路６からの浸出水が貯留された上で、図外のポンプを介して外部に排出され、浄化処理される。また、廃棄物処分場１の側部には、地下水貯留部１３が設けられ、この地下水貯留部１３には地下水ガイド路１４を介して地下水集排水路１０からの地下水が貯留された上で、図外のポンプを介して外部に排出され、処理される。
【０００５】
上記浸出水集排水路６は図１３，図１４に示すように外周に多数の孔を有する集排水管６ａを凹部６ｂに設置し、その周りを砕石等のフィルター材６ｃで埋めて構成される。遮水シート５の上には砂，砂利等の保護材１５が設けられる。
また、上記地下水集排水路１０は外周に多数の孔を有する集排水管１０ａを凹部１０ｂに設置し、その周りを砕石等のフィルター材１０ｃで埋めて、蓋材１０ｄを被せて構成される。
【０００６】
以上の構成において、処分場１には廃棄物１ｍが収容されるが、その内部に雨水，あるいは廃棄物１ｍよりしみ出した液状成分による浸出水ａが一定の水圧Ｐを有して滞留され、このような廃棄物よりしみ出したり、雨水が廃棄物を通過することにより汚染物質を含むことになった浸出水ａは、底部４方向に移行するが、遮水シート５によりブロックされるので、底部４の地中に漏洩してしみ込むことはない。
この浸出水ａは、フィルター材６ｃを経由して集排水管６ａの複数の孔を介して集排水管６ａの中に入り込み、集水された後、浸出水ガイド管１２を介して浸出水貯留部１１に排水して貯留され、その後図外のポンプで排出された後、浄化して処理される。集排水管６ａには廃棄物より発生するガスも供給されるが、これは、ガス抜き路９を介して外部に放出される。
【０００７】
底部４の地中の地下水ｂは、フィルター材１０ｃを経由して集排水管１０ａの複数の孔を介して排水管１０ａの中に入り込み、集水された後、ガイド管１４を介して地下水貯留部１３に貯留され、その後図外のポンプで排出される。
【０００８】
【発明が解決しようとする課題】
しかし、従来は浸出水集排水路６，地下水集排水路１０等を、凹部６ｂ，１０ｂ中で所定長さの排出管６ａ，１０ａを継ぎ合せ、これをフィルター材６ｃ，１０ｃで埋めて形成しているのでつぎの欠点を有している。
【０００９】
すなわち、廃棄物の自己分解を促進させ、また、浸出水ａを漏洩させないためには、浸出水ａの速やかな排出と浸出水ａを廃棄物層内に長期間貯留させないことが重要であるが、浸出水集排水路６，７による浸出水の集排水においては、浸出水ガイド管１２が小径で、しかも浸出水貯留部１１が小形であることから、その排水の能力が小さく、このため浸出水が長期間処分場内に滞留する結果、安全な貯留機能と迅速な浄化機能を得る上で、問題を有していた。
【００１０】
廃棄物の管理型最終処分場には、廃棄物を適切に貯留する「安全な貯留機能」と、自然界の代謝機能を利用して廃棄物を安定化，無害化する「迅速な浄化機能」が必要である。
廃棄物の安全な貯留と早期安定を実現するためには、浸出水を埋め立て地内に貯留及び滞留させずに、浸出水の漏洩防止，浸出水質の悪化抑制，廃棄物の自然浄化作用の促進を図ることが重要になる。
しかし、従来の処分場では、予測される最大降水時における安全性や水処理設備の規模との関係などから、浸出水を埋め立て地内に一時貯留させる方法が一般的に行われており、処分場に要求される各機能への影響が懸念されていた。
【００１１】
特に、浸出水が降水時に処分場内に大きな水圧Ｐを有して滞留されると、この水圧で遮水シートを破って漏れが生じて、安全な貯留機能が得られず、また、長期に浸出水が滞留されるので、迅速な浄化機能が得られなかった。
【００１２】
この発明は、浸出水が処分場内に貯留及び滞留することを防止するとともに、廃棄物と浸出水をできる限り速やかに分離させることを目的とした処分場の構造システムである。
【００１３】
【課題を解決するための手段】
請求項１によれば、処分場の底面に浸出水を収容する浸出水収容部が設けられ、浸出水収容部が凹状体と凹状体に被せられる蓋板とを備え、蓋板が通孔を備え、蓋板の上にフィルター層が設けられ、フィルター層及び通孔を経て浸出水収容部に収容された浸出水を処分場の外部に強制排水する排水手段が設けられたことを特徴とする。
【００１４】
請求項２によれば、上記浸出水収容部の容積を、処分場の廃棄物収容部の容積の５〜１５％とする。
【００１５】
【発明の実施の形態】
実施の形態１．
図１ないし図４は本発明による廃棄物処分場の一実施の形態を示す図であり、各図において、廃棄物処分場３０は地表を掘削することにより、大量の廃棄物を収容することのできる凹状の処分場であり、逆台錐形状となっており、その内周面は傾斜して、段差部３１が設けられ、その底面には浸出水収容部３２が設けられる。廃棄物処分場３０の周りはコンクリート塀３０ｍで囲まれる。
【００１６】
上記浸出水収容部３２は、強度及び遮水性の高いコンクリート構造を基本として構成されるもので、図３，図４に示すように、底板３２ａの外周に立ち上がり板３２ｂを設けて成る凹状体３２ｃを有し、この凹状体３２ｃに、通孔３２ｄを有する蓋板３２ｅを被せ、底板３２ａと蓋板３２ｅとの間に補強板３２ｆを立てて、重圧に十分耐え得るように構成される。
【００１７】
浸出水収容部３２における補強板３２ｆの一端側に対応する開口３２ｇは塞がれ、他端側の複数の開口３２ｇは、図３に示す如く長手状の筒状の集水部３２ｈに接続され、この集水部３２ｈは浸出水ガイド管３３を介して排水ホール３４の下端側に連結されている。浸出水収容部３２の全体の容積は、廃棄物処分場３０自体の容積（浸出水収容部３２より上方の部分）の５〜１５％、好ましくは７〜１０％の大きさに設定されている。
【００１８】
上記蓋板３２ｅの上には、砂利とかグリ石等のフィルター層４１が一定の厚みで堆積されており、また、浸出水収容部３２よりもさらに下部には、従来の地下水集排水路１０が設けられる。
【００１９】
３５は上記蓋板３２ｅから地表近くまで垂直に立てられるガス抜き管であり、下端は蓋板３２ｅを貫通している。
【００２０】
上記排水ホール３４は作業者が入って点検を行うための梯子３８を有し、その中の底部には排出手段としてのポンプ３４ａが位置され、このポンプ３４ａで排水される浸出水はホース等の排出管３４ｂを介して水処理設備３６で処理された後に、排出，放流される。
なお、処分場内の傾斜面に沿って遮水シート４８が設けられている。地表には、雨水集排水溝４９が設けられる。
【００２１】
このような構成において、廃棄物４０は処理場３０内に層状に堆積されるが、この過程でガス抜き管３５が上方に向かって延長され、また、一定の厚みに堆積された所で覆土３７が層状に被せられる。このような廃棄物４０の堆積と覆土３７の堆積の繰り返しにより廃棄物４０は収容される。
【００２２】
排水ホール３４からの自然通気による空気の流れは、浸出水ガイド管３３からガス抜き管３５を経て上方に通気するので、このとき浸出水収容部３２内のガスはガス抜き管３５を経て外部に排気されることになる。
【００２３】
本実施の形態では、廃棄物４０中の浸出水は、フィルター層４１から通孔３２ｄを経て、複数の補強板３２ｆ間の通路４２に収容された後、開口３２ｇから集水部３２ｈを経て浸出水ガイド管３３から排水ホール３４の底部に一旦貯留され、ここからポンプ３４ａにより水処理設備３６まで一挙に排水され、水処理設備３６で浄化処理されて、放流される。
【００２４】
このように、浸出水を相当量収容し得る浸出水収容部３２を設けているので、最大降雨時に浸出水が処理場３０内に滞留しようとしても、この浸出水は浸出水収容部３２に収容されつつ、ポンプ３４ａで排水されるので、浸出水は処理場３０内に滞留することがなく、廃棄物４０間をぬって一挙に浸出水収容部３２内に降下していく。
【００２５】
従って、浸出水が多量に廃棄物内に滞留することに基づく水圧が発生しないので、浸出水の漏れを極力抑えることができる。しかも、浸出水が廃棄物４０間をぬって急激に降下することに基づき浸出水による廃棄物の洗い出し効果が期待できる。
【００２６】
すなわち次の効果が得られる。
ａ．以上のように、浸出水漏洩の要因である浸出水圧が生じないため、浸出水の漏洩リスクが軽減される。
ｂ．埋め立て地の底盤を構成する地下の浸出水収容部３２は、遮断型処分場で採用されている強度及び遮水性の高いコンクリート構造を基本としており、従来の遮水シートを中心にした遮水構造と比較して、遮水工に対する安全性と信頼性が向上する。
ｃ．浸出水収容部３２で処理水量を調整できるため、水処理設備の処理能力が低減される。
ｄ．廃棄物と浸出水を速やかに分離させることで、廃棄物の洗い出し効果による浄化が促進され、また、浸出水質の悪化が抑制され、環境汚染リスクの軽減と水処理設備への負荷が低減される。
ｅ．浸出水を内部貯留させないことによる廃棄物層内の好気性領域の拡大と、地下貯留槽による通気面積の増大で、廃棄物の自然浄化作用が促進される。その結果、本格的な跡地利用までの期間を短縮させることが可能となる。
ｆ．浸出水の集水エリアごとに地下の浸出水収容部３２の配置及び補強板３２ｆによる仕切りを設定することで、処理水量の低減に効果的で安全性の高い区画埋め立てが可能となる。
ｇ．地下の浸出水収容部３２の健全度は、その内部空間を利用して目視によっても確認でき、確実な補修と補修効果の確認が直接的に行える。
ｈ．埋め立て地底部の全面及び一部を浸出水の貯留スペースとして有効利用しているため、埋め立て地外に大規模な浸出水調整槽の設置が不要となる。
ｉ．地下の浸出水収容部３２自体が浸出水の集排水機能を有しているため、従来の浸出水集配水管の設置は不要となる。
ｊ．浸出水を内部貯留させないため、新基準に示された浸出水滞留部の法面勾配（１：２よりも緩く）を確保する必要がないと判断でき、処分場設置に当たっての地形的制約が少なくなる。
ｋ．浸出水を内部貯留させないため、新基準に示された二重シート構造等の法面遮水工が不要と判断でき、浸出水が滞留するおそれがない場合に適用される一重シート構造等による法面遮水工の採用が可能になる。
【００２７】
特に、本実施の形態では、浸出水収容部３２の容積を、廃棄物処分場３０自体の容積の５〜１５％、好ましくは７〜１０％程度としているので、この数値は、浸出水収容部３２を最小限の大きさとしつつ、最大降雨時に廃棄物処分場３０内に収容されることが予想される大容量の浸出水を迅速に排水し得る程度の能力を有するもので、浸出水収容部３２の工事費用の負担を抑えつつ、浸出水の処理能力を大きくできる。
つまり、浸出水収容部３２の容積は大きければ大きいほど浸出水の排水の点では好ましいのであるが、これでは工事費用の負担を招くので、排水を十分に行うための必要最小限の大きさでよい。
【００２８】
実施の形態２．
図５に示すように、廃棄物処分場３０の周りがコンクリート塀３０ｍで囲まれるような場合には、排水ホール３４の下部から排水手段としての傾斜トンネル５１を壁部５０の外部まで延長させて、水処理設備３６に浸出水を導くようにしてもよい。
これによれば、ポンプ３４ａを不要にできる。
【００２９】
実施の形態３．
また、図６に示すように、廃棄物処分場３０の大きさが、比較的小形の場合には、１個の通路４２を有する浸出水収容部３２を設けても良い。なお、この場合も、処理能力と工事の経済的負担の関係から、浸出水収容部３２の大きさは、廃棄物処分場３０の容積の５〜１５％、好ましくは７〜１０％程度に設定される。
【００３０】
実施の形態４．
また、浸出水収容部３２の内部には、図７，図８に示すように側部に孔７０ａを有する塩化ビニール等より成る樹脂管７０を収容するようにしてもよい。
これによれば、上からの圧力に対して浸出水収容部３２の耐久性が増すとともに、浸出水については樹脂管７０内に収容されるので、収容力が低減することがない。この場合、補強板３２ｆ，蓋板３２ｅは除去してもよい。
【００３１】
実施の形態５
なお、上記樹脂管７０に代えて図９に示すように樹脂管の端部の切れ端等の不要となった中空体７０ｍを、図１０に示すように浸出水収容部３２内にランダムな並びで投入して設置したものであっても、実施の形態４と同様に耐久性が大きい浸出水収容部３２が得られる。
【００３２】
【発明の効果】
請求項１によれば、処分場の底面に浸出水を収容する浸出水収容部が設けられ、浸出水収容部が凹状体と凹状体に被せられる蓋板とを備え、蓋板が通孔を備え、蓋板の上にフィルター層が設けられ、フィルター層及び通孔を経て浸出水収容部に収容された浸出水を処分場の外部に強制排水する排水手段が設けられた廃棄物処分場としたので、処分場内に廃棄物とともに滞留した浸出水が迅速に浸出水収容部に落下して、ここから排水手段を介して外部に排水されるので、廃棄物中に浸出水が滞留しないことから、浸出水による水圧が発生せず、これにより、浸出水が漏れ出すことを防止できるとともに、浸出水が迅速に廃棄物間を介して下部に落下することによる廃棄物の洗い出し効果を得て、浄化を促進できる種々の効果を有する。
【００３３】
請求項２によれば、浸出水収容部の容積を、廃棄物処分場の廃棄物収容部の容積の５〜１５％としたので、浸出水収容部の容積を、浸出水を迅速に排水するのに必要最小限の大きさにできるので、工事費用を増大させることなく、処理能力の優れた廃棄物処分場を得ることができる。
【図面の簡単な説明】
【図１】  この発明の一実施の形態を示す要部断面図である。
【図２】  この発明の一実施の形態を示す断面図である。
【図３】  この発明の一実施の形態を示す要部斜視図である。
【図４】  この発明の一実施の形態を示す要部斜視図である。
【図５】  この発明の他の実施の形態を示す要部断面図である。
【図６】  この発明の他の実施の形態を示す断面図である。
【図７】  この発明の他の実施の形態を示す要部断面図である。
【図８】  この発明の他の実施の形態を示す要部斜視図である。
【図９】  この発明の他の実施の形態を示す要部斜視図である。
【図１０】  この発明の他の実施の形態を示す要部斜視図である。
【図１１】  従来の廃棄物処理場の一例を示す断面図である。
【図１２】  従来の廃棄物処理場の一例を示す平面図である。
【図１３】  従来の廃棄物処理場の一例を示す断面図である。
【図１４】  従来の廃棄物処理場の一例を示す要部断面図である。
【符号の説明】
３０  廃棄処分場、３２  浸出水収容部、３２ａ  底板、３２ｂ  立ち上がり板 、３２ｃ  凹状体、３２ｄ  通孔、３２ｅ  蓋板、３２ｆ  補強板、３２ｇ開口、３２ｈ  集水部、３３  浸出水ガイド管、３４  排水ホール、３５  ガス抜き管、３６  水処理設備、４１  フィルター層、４２  通路。
【図１】
0003847446.tif 000002
【図２】
0003847446.tif 000003
【図３】
0003847446.tif 000004
【図４】
0003847446.tif 000005
【図５】
0003847446.tif 000006
【図６】
0003847446.tif 000007
【図７】
0003847446.tif 000008
【図８】
0003847446.tif 000009
【図９】
0003847446.tif 000010
【図１０】
0003847446.tif 000011
【図１１】
0003847446.tif 000012
【図１２】
0003847446.tif 000013
【図１３】
0003847446.tif 000014
【図１４】
0003847446.tif 000015